(57)【要約】
【課題】　ＦＭトラップ回路のスイッチダイオードをオン／オフするためのバイアス電圧を簡単な回路で印加すると共に、オフにする逆方向電圧を大きくして端子間容量を小さくする。
【解決手段】　ＦＭ放送帯に共振する並列共振回路とこれに並列接続された第一のスイッチダイオード３ｃとを有するＦＭトラップ回路３と、第一のスイッチダイオード３ｃを制御するためのスイッチトランジスタ１０ａとを備え、スイッチトランジスタ１０ａのコレクタをプルアップ抵抗Ｒ３を介して電源に接続すると共にエミッタを接地し、第一のスイッチダイオード３ｃのアノードには所定の順方向バイアス電圧を印加し、カソードをスイッチトランジスタ１０ａのコレクタに抵抗Ｒ４を介して接続し、スイッチトランジスタ１０ａのベースに該スイッチトランジスタ１０ａをオン／オフするための切替電圧を印加した。
【選択図】　　　　図１
0003099891.tif 000002
【実用新案登録請求の範囲】
【請求項１】
ＦＭ放送帯に共振する並列共振回路と前記並列共振回路に並列接続された第一のスイッチダイオードとを有するＦＭトラップ回路と、前記第一のスイッチダイオードをオン／オフ制御するためのスイッチトランジスタとを備え、前記スイッチトランジスタのコレクタをプルアップ抵抗を介して電源に接続すると共にエミッタを接地し、前記第一のスイッチダイオードのアノードには所定の順方向バイアス電圧を印加すると共に、カソードを前記スイッチトランジスタのコレクタに抵抗を介して接続し、前記スイッチトランジスタのベースに該スイッチトランジスタをオン／オフするための切替電圧を印加したことを特徴とするテレビジョンチューナ。
【請求項２】
前記ＦＭトラップ回路の次段にはバンド切替型の入力同調回路を設け、前記入力同調回路にはバンド切替のための第二のスイッチダイオードと前記第二のスイッチダイオードのアノードに順方向バイアス電圧を印加するためのバイアス回路とを設け、前記第一のスイッチダイオードのアノードに前記バイアス回路から順方向バイアス電圧を供給したことを特徴とする請求項１に記載のテレビジョンチューナ。
【請求項３】
前記入力同調回路は同調用インダクタンス素子を有すると共に、前記第一のスイッチダイオードのアノードには前記バイアス回路から前記インダクタンス素子を介して前記順方向バイアス電圧を印加したことを特徴とする請求項２に記載のテレビジョンチューナ。
【請求項４】
前記スイッチトランジスタと前記プルアップ抵抗とを同一の集積回路内に構成したことを特徴とする請求項１乃至３のいずれかに記載のテレビジョンチューナ。
【考案の詳細な説明】
【技術分野】
【０００１】
　本考案はＦＭ放送帯を減衰するためのＦＭトラップ回路を備えたテレビジョンチューナに関する。
【背景技術】
【０００２】
　テレビジョンチューナの入力部にＦＭ放送帯を減衰するＦＭトラップ回路を設け、必要に応じてＦＭトラップ回路を機能させ、または無能にさせるように切り替えて通常の地上波テレビの受信又はケーブルテレビの受信に使用出来るようにしたテレビジョンチューナが知られている。
【０００３】
　図４はこのようなテレビジョンチューナの構成を示す。アンテナ接続端子３１には中間周波数帯等を減衰する為のフィルタ回路３２が接続される。フィルタ回路３２の次段にはＦＭトラップ回路３３が設けられる。ＦＭトラップ回路３３はインダクタンス素子３３ａと容量素子３３ｂとからなってＦＭ放送帯に共振する並列共振回路と、ＤＣカット用容量素子を介して並列共振回路に並列接続される第一のスイッチダイオード３３ｃとを有する。よって、ＦＭトラップ回路３３は第一のスイッチダイオード３３ｃがオフの時に機能し、オンのときに無効とされる。
【０００４】
　ＦＭトラップ回路３３の次段にはＶＨＦ帯の入力同調回路３４が設けられる。バンド切替型の入力同調回路３４は直列接続された複数の同調用のインダクタンス素子３４ａ〜３４ｄと、これらのうちの二つのインダクタンス素子３４ｂ、３４ｃに跨って接続された第二のスイッチダイオード３４ｅと、上記インダクタンス素子３４ａ〜３４ｄと共に並列同調回路を構成する第一のバラクタダイオード３４ｆと、分圧抵抗Ｒ１、Ｒ２とからなって電源電圧Ｖｃｃを分圧すると共に第二のスイッチダイオード３４ｅのアノードに順方向バイアス電圧を印加するバイアス回路３４ｇとを有する。そして、入力同調回路３４は第二のスイッチダイオード３４ｃのオン／オフによってＶＨＦ帯のハイバンド／ローバンドに同調するように切り替えられる。入力同調回路３４には第二のバラクタダイオード３５を介してＶＨＦ高周波増幅器３６が結合される。
【０００５】
　また、ＦＭトラップ回路３３には第三のスイッチダイオード３７を介してＵＨＦ帯の入力同調回路３８が接続される。入力同調回路３８の次段にはＵＨＦ高周波増幅器３９が接続される。そして、ＵＨＦ帯のテレビジョン信号受信時に第三のスイッチダイオード３７がオンとなる。
【０００６】
　ＦＭトラップ回路３３における第一のスイッチダイオード３３ｃのアノードは第三のスイッチダイオード３７のアノードと共に入力同調回路３４におけるインダクタンス素子３４ｂと３４ｃとの接続点に接続されることで二つのスイッチダイオード３３ｃ及び３７の各アノードにはバイアス回路３４ｇから順方向バイアス電圧が印加される。
【０００７】
　第一乃至第三のスイッチダイオード３３ｃ、３４ｅ、３７の各アノードはこれらをオン／オフ制御する切替回路４０に接続される。切替回路４０は集積回路化され、内部に二つのスイッチトランジスタ４０ａ、４０ｂが構成される。第一のスイッチトランジスタ４０ａは第一スイッチダイオード３３ｃのオン／オフを制御するものであり、そのコレクタには電源電圧が印加され、ベースには切替電圧が印加される。そして、第一のスイッチダイオード３３ｃのカソードは抵抗Ｒ３を介して接地されると共に、抵抗Ｒ４を介して第一のトランジスタ４０ａのエミッタに接続される。抵抗Ｒ３、Ｒ４は第一のトランジスタ４０ａがオンの時に第一のスイッチトランジスタ３３ｃをオフとするための逆方向バイアス電圧印加する分圧抵抗となる。
【０００８】
　第二のスイッチトランジスタ４０ｂは第二及び第三のスイッチダイオード３４ｃ、３７のオン／オフを制御し、そのコレクタにはプルアップ抵抗Ｒ５を介して電源電圧が印加され、エミッタは接地され、ベースに切替電圧が印加される。そして、第二のスイッチダイオード３４ｅカソードは抵抗Ｒ６を介して、第三のスイッチダイオード３７のカソードは抵抗Ｒ７を介してそれぞれ第二のスイッチトランジスタ４０ｂのコレクタに接続される。
【０００９】
　以上の構成において、ＦＭトラップ回路３３を機能させるには第一のスイッチトランジスタ４０ａをオンとする。すると、図５に示すように、第一のスイッチダイオード３３ａはそのカソードに分圧抵抗Ｒ３、Ｒ４による逆方向バイアス電圧が印加されてオフとなる。逆方向バイアス電圧は順方向バイアス電圧よりも高い。
【００１０】
　また、ＦＭトラップ回路３３を無効にするには第一のスイッチトランジスタ４０ａをオフとする。すると、図６に示すように、第一のスイッチダイオード３３ｃはそのカソードが抵抗Ｒ３のみによって接地されるのでオンとなる。
【考案の開示】
【考案が解決しようとする課題】
【００１１】
　以上の構成では、第一のスイッチダイオード３３ｃのカソードが抵抗Ｒ４を介して第一のスイッチトランジスタ４０ａのエミッタに接続されると共に、抵抗Ｒ３を介して接地されている。そして、第一のスイッチダイオード３３ｃは抵抗Ｒ３とＲ４とによって得られる分圧電圧によって逆方向バイアスされるのでその電圧が十分に高くすることができないという問題があり、また、オンにするためにはカソードに接続された抵抗Ｒ３が不可欠になるという問題がある。
【００１２】
　本考案では、ＦＭトラップ回路のスイッチダイオードをオン／オフするためのバイアス電圧を簡単な回路で印加すると共に、オフにする逆方向電圧を大きくして端子間容量を小さくすることを目的とする。
【課題を解決するための手段】
【００１３】
　本考案では、ＦＭ放送帯に共振する並列共振回路と前記並列共振回路に並列接続された第一のスイッチダイオードとを有するＦＭトラップ回路と、前記第一のスイッチダイオードをオン／オフ制御するためのスイッチトランジスタとを備え、前記スイッチトランジスタのコレクタをプルアップ抵抗を介して電源に接続すると共にエミッタを接地し、前記第一のスイッチダイオードのアノードには所定の順方向バイアス電圧を印加すると共に、カソードを前記スイッチトランジスタのコレクタに抵抗を介して接続し、前記スイッチトランジスタのベースに該スイッチトランジスタをオン／オフするための切替電圧を印加した。
【００１４】
　また、前記ＦＭトラップ回路の次段にはバンド切替型の入力同調回路を設け、前記入力同調回路にはバンド切替のための第二のスイッチダイオードと前記第二のスイッチダイオードのアノードに順方向バイアス電圧を印加するためのバイアス回路とを設け、前記第一のスイッチダイオードのアノードに前記バイアス回路から順方向バイアス電圧を供給した。
【００１５】
　また、前記入力同調回路は同調用インダクタンス素子を有すると共に、前記第一のスイッチダイオードのアノードには前記バイアス回路から前記インダクタンス素子を介して前記順方向バイアス電圧を印加した。
【００１６】
　また、前記スイッチトランジスタと前記プルアップ抵抗とを同一の集積回路内に構成した。
【考案の効果】
【００１７】
　本考案では、ＦＭ放送帯に共振する並列共振回路とこれに並列接続された第一のスイッチダイオードとを有するＦＭトラップ回路と、第一のスイッチダイオードをオン／オフ制御するためのスイッチトランジスタとを備え、スイッチトランジスタのコレクタをプルアップ抵抗を介して電源に接続すると共にエミッタを接地し、第一のスイッチダイオードのアノードには所定の順方向バイアス電圧を印加すると共に、カソードをスイッチトランジスタのコレクタに抵抗を介して接続し、スイッチトランジスタのベースに該スイッチトランジスタをオン／オフするための切替電圧を印加したので、第一のスイッチダイオードをオフにするときにはそのカソードに十分な逆方向バイアス電圧を印加できる。
【００１８】
　また、ＦＭトラップ回路の次段にはバンド切替型の入力同調回路を設け、入力同調回路にはバンド切替のための第二のスイッチダイオードと第二のスイッチダイオードのアノードに順方向バイアス電圧を印加するためのバイアス回路とを設け、第一のスイッチダイオードのアノードにバイアス回路から順方向バイアス電圧を供給したので、入力同調回路に設けたバイアス回路を第一及び第二のスイッチダイオードに共用できる。
【００１９】
　また、入力同調回路は同調用インダクタンス素子を有すると共に、第一のスイッチダイオードのアノードにはバイアス回路からインダクタンス素子を介してバイアス電圧を印加したので、第二のスイッチダイオードに順方向バイアス電圧を簡単に印加できる。
【００２０】
　また、スイッチトランジスタとプルアップ抵抗とを同一の集積回路内に構成したので、第一のスイッチダイオードのカソードを抵抗によってスイッチトランジスタのコレクタに接続するだけで第一のスイッチダイオードをオン／オフできる。
【考案を実施するための最良の形態】
【００２１】
　図１は本考案のテレビジョンチューナの構成を示す。アンテナ接続端子１には中間周波数帯等を減衰する為のフィルタ回路２が接続される。フィルタ回路２の次段にはＦＭトラップ回路３が設けられる。ＦＭトラップ回路３はインダクタンス素子３ａと容量素子３ｂとからなってＦＭ放送帯に共振する並列共振回路と、ＤＣカット用容量素子を介して並列共振回路に並列接続される第一のスイッチダイオード３ｃとを有する。よって、ＦＭトラップ回路３は第一のスイッチダイオード３ｃがオフの時に機能し、オンのときに無効とされる。
【００２２】
　ＦＭトラップ回路３の次段にはＶＨＦ帯の入力同調回路４が設けられる。バンド切替型の入力同調回路４は直列接続された複数の同調用のインダクタンス素子４ａ〜４ｄと、これらのうちの二つのインダクタンス素子４ｂ、４ｃに跨って接続された第二のスイッチダイオード４ｅと、上記インダクタンス素子４ａ〜４ｄと共に並列同調回路を構成する第一のバラクタダイオード４ｆと、分圧抵抗Ｒ１、Ｒ２とからなって電源電圧Ｖｃｃを分圧すると共に第二のスイッチダイオード４ｅのアノードにバイアス電圧を印加するバイアス回路４ｇとを有する。入力同調回路４には第二のバラクタダイオード５を介してＶＨＦ高周波増幅器６が結合される。
【００２３】
　そして、入力同調回路４は第二のスイッチダイオード４ｃのオン／オフによってＶＨＦ帯のハイバンド／ローバンドに同調するように切り替えられる。
【００２４】
　また、ＦＭトラップ回路３には第三のスイッチダイオード７を介してＵＨＦ帯の入力同調回路８が接続される。入力同調回路８の次段にはＵＨＦ高周波増幅器９が接続される。そして、ＵＨＦ帯のテレビジョン信号受信時に第三のスイッチダイオード７がオンとされる。
【００２５】
　ＦＭトラップ回路３における第一のスイッチダイオード３ｃのアノードは第三のスイッチダイオード７のアノードと共に入力同調回路４におけるインダクタンス素子４ｂと４ｃとの接続点に接続されることでバイアス回路４ｇからバイアス電圧が印加される。
【００２６】
　第一乃至第三のスイッチダイオード３ｃ、４ｅ、７の各カソードはこれらをオン／オフ制御する切替回路１０に接続される。切替回路１０は集積回路化され、内部に二つのスイッチトランジスタ１０ａ、１０ｂと二つのプルアップ抵抗Ｒ３、Ｒ５等が構成される。第一のスイッチトランジスタ１０ａは第一スイッチダイオード３ｃのオン／オフを制御するものであり、そのコレクタにはプルアップ抵抗Ｒ３を介して電源電圧が印加され、エミッタは接地される。また、ベースには切替電圧が印加される。そして、第一のスイッチダイオード３ｃのカソードは抵抗Ｒ４を介して第一のトランジスタ１０ａのコレクタに接続される。
【００２７】
　第二のスイッチトランジスタ１０ｂは第二及び第三のスイッチダイオード４ｃ、７のオン／オフを制御し、そのコレクタにはプルアップ抵抗Ｒ５を介して電源電圧が印加され、エミッタは接地され、ベースに切替電圧が印加される。そして、第二のスイッチダイオード４ｅのカソードは抵抗Ｒ６を介して、第三のスイッチダイオード７のカソードは抵抗Ｒ７を介してそれぞれ第二のスイッチトランジスタ１０ｂのコレクタに接続される。
【００２８】
　以上の構成において、ＦＭトラップ回路３を機能させるには第一のスイッチトランジスタ１０ａをオフとする。すると、図２に示すように、第一のスイッチダイオード３ａはそのカソードが抵抗Ｒ３、Ｒ４を直列に介して電源電圧から逆方向がバイアスされてオフとなる。よって十分な逆方向バイアス電圧が印加されるので、端子間容量の値が小さくなってＦＭトラップ回路が十分に機能する。
【００２９】
　また、ＦＭトラップ回路３３を無効にするには第一のスイッチトランジスタ１０ａをオンとする。すると、図３に示すように、第一のスイッチダイオード３ｃはそのカソードが抵抗Ｒ４のみによって接地されるのでオンとなる。
【図面の簡単な説明】
【００３０】
【図１】本考案のテレビジョンチューナの構成を示す回路図である。
【図２】本考案のテレビジョンチューナにおけるＦＭトラップ回路のスイッチダイオードをオフにしたときの直流回路である。
【図３】本考案のテレビジョンチューナにおけるＦＭトラップ回路のスイッチダイオードをオンにしたときの直流回路である。
【図４】従来のテレビジョンチューナの構成を示す回路図である。
【図５】従来のテレビジョンチューナにおけるＦＭトラップ回路のスイッチダイオードをオフにしたときの直流回路である。
【図６】従来のテレビジョンチューナにおけるＦＭトラップ回路のスイッチダイオードをオンにしたときの直流回路である。
【符号の説明】
【００３１】
　１：アンテナ接続端子
　２：フィルタ回路
　３：ＦＭトラップ回路
　３ａ：インダクタンス素子
　３ｂ：容量素子
　３ｃ：第一のスイッチダイオード
　４：入力同調回路（ＶＨＦ帯）
　４ａ〜４ｄ：インダクタンス素子
　４ｅ：第二のスイッチダイオード
　４ｆ：第一のバラクタダイオード
　４ｇ：バイアス回路
　Ｒ１、Ｒ２：分圧抵抗
　５：第二のバラクタダイオード
　６：ＶＨＦ高周波増幅器
　７：第三のスイッチダイオード
　８：入力同調回路（ＵＨＦ帯）
　９：ＵＨＦ高周波増幅器
　１０：切替回路
　１０ａ：第一のスイッチトランジスタ
　１０ｂ：第二のスイッチトランジスタ
　Ｒ３、Ｒ５：プルアップ抵抗
　Ｒ６、Ｒ７：抵抗
【図１】
0003099891.tif 000003
【図２】
0003099891.tif 000004
【図３】
0003099891.tif 000005
【図４】
0003099891.tif 000006
【図５】
0003099891.tif 000007
【図６】
0003099891.tif 000008